(57)【要約】【課題】粉粒体を無駄な無く素早く詰め替えられる、常用保存容器と詰替用容器とからなる粉粒体詰替用容器セットをより安価に提供する。【解決手段】粉粒体５０の収納部となる容器本体１１ａと、膜体３０によって封口された供給口１３ａと容器本体の内部を連絡する首部１２ａとを備えた詰替用容器１０ａと、粉粒体の収納部となる容器本体２１ａと、首部が挿入される導入口２３ａと容器本体の内部とを連絡する管部２２ａとを備えた常用保存容器２０ａとからなり、膜体は、供給口の内周に沿って周回する略Ｃ字形状の破断部３１を備え、管部の内部には、導入口の開口端側に当該導入口の内周に沿う環状の縁端面４１を備えた押圧部４０ａが形成され、首部が導入口に挿入された際、首部の端面が導入口の内周と前記環状の押圧部の外周との間の空隙に配置されつつ、押圧部の縁端面が膜体を押圧することで破断部が略Ｃ字の開放部分３２を残しつつ破断する。【選択図】図５
2012254824.tif 000002
【特許請求の範囲】
【請求項１】
粉粒体を収納した詰替用容器と、当該詰替用容器内の粉粒体の詰め替え先となる常用保存容器とからなる粉粒体保存容器セットであって、
前記詰替用容器は、前記粉粒体の収納部となる容器本体と、一端が当該容器本体の内部と連絡しつつ、他端が粉粒体の供給口となる中空筒状の首部とを備え、
前記供給口の開口端は、膜体によって封口されて、前記粉粒体が前記容器本体内に封入され、
前記膜体は、始端を起点として前記供給口の内周に沿って終端まで周回する略Ｃ字形状の破断部を備え、
前記常用保存容器は、前記粉粒体の収納部となる容器本体と、一端が当該容器本体の内部と連絡しつつ、他端が粉粒体の導入口として開口する管部を備え、
前記管部の内部には、前記導入口の内周に沿う環状の縁端面を当該導入口の開口端側に備えた押圧部が形成され、
前記詰替用容器と前記常用保存容器は、前記首部が前記導入口に挿入可能となるように形成されて、当該挿入に際して、前記首部の前記供給口側の端面が前記導入口の内周と前記環状の押圧部の外周との間の空隙に配置されつつ、前記押圧部の前記縁端面が前記膜体を首部の内方に向かって押圧することで、前記破断部が前記略Ｃ字の開放部分を残しつつ破断し、前記供給口が開口する、
ことを特徴とする粉粒体保存容器セット。
【請求項２】
請求項１に記載の前記粉粒体保存容器セットを構成する前記詰替用容器であって、
前記粉粒体の収納部となる容器本体と、一端が当該容器本体の内部と連絡しつつ、他端が粉粒体の供給口となる中空筒状の首部とを備え、
前記供給口の開口端は、膜体によって封口されて、前記粉粒体が前記容器本体内に封入され、
前記膜体は、始端を起点として前記供給口の内周に沿って終端まで周回する略Ｃ字形状の破断部を備えている、
ことを特徴とする詰替用容器。
【請求項３】
請求項２において、前記膜体が樹脂で形成されていることを特徴とする詰替用容器。
【請求項４】
請求項２または３において、ペットボトル容器で構成されていることを特徴とする詰替用容器。
【請求項５】
請求項２または３において、フィルム素材の縁辺を接着して袋状に形成した容器本体を備えていることを特徴とする詰替用容器。
【請求項６】
請求項２〜５のいずれかにおいて、外面に、前記略Ｃ字形状の破断部の前記始端と前記終端との間の前記開放部分の形成位置を示すマークが表記されていることを特徴とする詰替用容器。
【請求項７】
請求項１に記載の前記粉粒体保存容器セットを構成する前記常用保存容器であって、
前記粉粒体の収納部となる容器本体と、一端が当該容器本体の内部と連絡しつつ、他端が粉粒体の導入口として開口する管部を備え、
前記管部の内部には、前記導入口の内周に沿う環状の縁端面を当該導入口の開口端側に備えた押圧部が形成されている、
ことを特徴とする常用保存容器。
【請求項８】
請求項７において、前記押圧部の前記環状の縁端面は、略Ｃ字形状となるように一部が切り欠かれていることを特徴とする常用保存容器。
【請求項９】
請求項８において、外面には、前記切り欠きの形成位置を示すマークが表記されていることを特徴とする常用保存容器。
【発明の詳細な説明】
【技術分野】
【０００１】
本発明は,米や小麦粉などの粉粒体を保存するための容器に関する。具体的には、詰替用の粉粒体が入った容器と、その粉粒体の詰め替え先となる容器とかなる粉粒体保存容器セットに関する。また、この容器セットを構成する粉粒体詰替用容器と粉粒体容器にも関する。
【背景技術】
【０００２】
近年、環境問題に対する社会的関心の高まりにより、日用品や食品(洗剤、液体石けん、インスタントコーヒーなど）からなる内容物が入った詰替用容器を、リサイクルが容易、あるいは廃棄による環境負荷の少ない素材で構成し、その内容物を詰替用容器から日常的に使用する容器（以下、常用保存容器）に随時詰め替えて使う、ということが、一般的に広く認知されつつある。
【０００３】
例えば、以下の特許文献１には、インスタントコーヒーの詰替用容器について記載されている。この詰替用容器は、有底円筒状の容器で、その開口端が放射状に破断可能な紙の膜によって密閉されており、容器内部には、開口端側に漏斗を逆さまにした形状の注ぎ口が内蔵されている。そして、常用保存容器を正立させるとともに、詰替用容器の開口を下方に向けつつ、常用保存容器の口の縁を紙の膜に押し当てると、詰替用容器に内蔵されている漏斗における開口径の小さな方の口の縁が紙の膜を破断させて容器を開口させ、容器内部の内容物が、常用保存容器側に詰め替えられるようになっている。
【先行技術文献】
【特許文献】
【０００４】
【特許文献１】特開２００９−２５５９８９号公報
【発明の概要】
【発明が解決しようとする課題】
【０００５】
上述したように、日常的に消費される日用品や食品を詰替ながら使用するには、その詰め替えに際し、内容物がこぼれず、確実に詰替先の常用保存容器に無駄なく収納できるようにすることが望まれる。しかしながら、内容物の状態によって、その詰め替え作業の容易性がかなり異なる、ということが知見されている。
【０００６】
例えば、内容物が液体であれば、詰替用容器を斜めにして常用保存容器に注ぐようにしても大きな問題はないが、米やインスタントコーヒーなどの粒体では、粒体同士が落下途中でぶつかり合って広がり、常用保存容器の取り入れ口に粒体をこぼさずに導くことが難しい。また、粉ミルクなどの粉体では、空気抵抗を受けて舞い、同様に、常用保存容器内に確実に収納することが難しい。
【０００７】
確かに、上記特許文献１に記載されている詰替用容器を使用すれば、無駄なく内容物を詰め替えることができるかもしれないが、漏斗状の構造体を内蔵しているため、コストダウンが難しい。詰替用容器は、内容物が入った状態で販売され、常用保存容器内の内容物が消費される毎に買い足されるものである。そのため、詰替用容器は、可能な限り、容器自体の構造を簡略化し、価格を低減させることがより望ましい。詰替用容器自体が高価なものとなれば、その内容物を含めた商品価格も高くなり、消費者における経済的な負担が大きくなる。そうなれば、内容物を詰め替えながら、その内容物を消費するという環境に優しい生活習慣が身につき難くなる。
【０００８】
そこで本発明は、大きなコストアップを招くことなく、粉粒体を確実に無駄な無く、さらには素早く詰め替えられる、常用保存容器と詰替用容器とからなる粉粒体詰替用容器セットを提供することを目的としている。また、その他の目的については以下の記載で明らかにする。
【課題を解決するための手段】
【０００９】
上記目的を達成するための本発明は、粉粒体を収納した詰替用容器と、当該詰替用容器内の粉粒体の詰め替え先となる常用保存容器とからなる粉粒体保存容器セットであって、
前記詰替用容器は、前記粉粒体の収納部となる容器本体と、一端が当該容器本体の内部と連絡しつつ、他端が粉粒体の供給口となる中空筒状の首部とを備え、
前記供給口の開口端は、膜体によって封口されて、前記粉粒体が前記容器本体内に封入され、
前記膜体は、始端を起点として前記供給口の内周に沿って終端まで周回する略Ｃ字形状の破断部を備え、
前記常用保存容器は、前記粉粒体の収納部となる容器本体と、一端が当該容器本体の内部と連絡しつつ、他端が粉粒体の導入口として開口する管部を備え、
前記管部の内部には、前記導入口の内周に沿う環状の縁端面を当該導入口の開口端側に備えた押圧部が形成され、
前記詰替用容器と前記常用保存容器は、前記首部が前記導入口に挿入可能となるように形成されて、当該挿入に際して、前記首部の前記供給口側の端面が前記導入口の内周と前記環状の押圧部の外周との間の空隙に配置されつつ、前記押圧部の前記縁端面が前記膜体を首部の内方に向かって押圧することで、前記破断部が前記略Ｃ字の開放部分を残しつつ破断し、前記供給口が開口する、
ことを特徴とする粉粒体保存容器セットとしている。
【００１０】
また、前記粉粒体保存容器セットを構成する前記詰替用容器も本発明の範囲であって、
当該詰替用容器は、前記粉粒体の収納部となる容器本体と、一端が当該容器本体の内部と連絡しつつ、他端が粉粒体の供給口となる中空筒状の首部とを備え、
前記供給口の開口端は、膜体によって封口されて、前記粉粒体が前記容器本体内に封入され、
前記膜体は、始端を起点として前記供給口の内周に沿って終端まで周回する略Ｃ字形状の破断部を備えている、
ことを特徴としている。また、前記膜体が樹脂で形成すれば、重量が大きな粉粒体（米など）を収納したり、外部から不意に圧力が加わったりした場合でも膜体が不用意に破断することがない。
【００１１】
なお、詰替用容器は、ペットボトル容器で構成されていてもよいし、フィルム素材の縁辺を接着して袋状に形成した容器本体を備えた詰替用容器であってもよい。
【００１２】
上記いずれかに記載の詰替用容器において、外面に、前記略Ｃ字形状の破断部の前記始端と前記終端との間の前記開放部分の形成位置を示すマークが表記されている詰替用容器とすれば、より好ましい。
【００１３】
本発明は、前記粉粒体保存容器セットを構成する前記常用保存容器にも及んでおり、当該常用保存容器は、
前記粉粒体の収納部となる容器本体と、一端が当該容器本体の内部と連絡しつつ、他端が粉粒体の導入口として開口する管部を備え、
前記管部の内部には、前記導入口の内周に沿う環状の縁端面を当該導入口の開口端側に備えた押圧部が形成されている、
ことを特徴としている。
【００１４】
前記常用保存容器において、前記押圧部の前記環状の縁端面が、略Ｃ字形状となるように一部が切り欠かれていてもよい。さらに、その切り欠きの形成位置を示すマークが外面に表記されていてもよい。
【発明の効果】
【００１５】
本発明の粉粒体保存容器セットによれば、粉粒体を無駄なく確実詰め替えられるとともに、粉粒体の消費に伴って随時購入される粉粒物が収納された詰替用容器をより安価に提供することができる。それによって、利用者は、粉粒体を詰替名ながら消費するという生活習慣が身につき、結果的に、無駄な、あるいは処理しにくいゴミを削減することができる。なお、その他の効果については、以下の記載で明らかにする。
【図面の簡単な説明】
【００１６】
【図１】本発明の第１の実施例に係る粉粒体保存容器セットを示す斜視図である。
【図２】上記第１の実施例に係る粉粒体保存容器セットの正面図である。
【図３】上記第１の実施例に係る粉粒体保存容器セットにおける内容物の詰め替え時の状態を示す図である。
【図４】上記保存容器セットを構成する常用保存容器と詰替用容器のそれぞれの要部を拡大した一部破断斜視図である。
【図５】上記第１の実施例に係る粉粒体保存容器セットにおける内容物の詰め替え手順を示す図である。
【図６】上記第１の実施例における上記常用保存容器のその他の例を示す図である
【図７】上記第１の実施例における上記詰替用容器をレトルトパックで構成した例を示す図である。
【図８】上記レトルトパックで構成した詰替用容器のその他の例を示す図である。
【図９】本発明の第２の実施例に係る粉粒体保存容器セットを示す斜視図である。
【図１０】上記第２の実施例に係る粉粒体保存容器セットを構成する常用保存容器と詰替用容器のそれぞれの要部を拡大した一部破断斜視図である。
【図１１】上記第２の実施例に係る粉粒体保存容器セットにて内容物を詰め替える際の要部を拡大した図である。
【発明を実施するための形態】
【００１７】
＝＝＝粉粒体について＝＝＝
本発明の粉粒体保存容器セットによる詰め替え対象となる粉粒体としては、米、インスタントコーヒー、粉ミルクなどがあり、どの粉粒体にも適用可能である。以下では、粉粒体として米を挙げ、米が入った詰替用容器と、その米の詰替先となるとともに、通常は米櫃として使用可能な常用保存容器からなる粉粒体保存容器セット（以下、容器セット）を本発明の実施例とする。
【００１８】
なお、米は、他の粉粒体（インスタントコーヒーなど）と異なり、少なくても１〜２ｋｇ程度の重量で販売されていることが多く、他の粉粒体と比較すると、詰め替え作業がより難しいことが容易に予想される。そこで、以下では、本発明の実施例に係る容器セットを幾つか挙げ、詰め替え作業が難しい米であっても、無駄なく、かつ容易に詰め替えることができる、ということを説明する。
【００１９】
＝＝＝実施例＝＝＝
＜基本的な構成と構造＞
図１と図２に、本発明の実施例に係る容器セット１ａの概略を示した。図１は、当該容器セット１ａを構成する詰替用容器１０ａと常用保存容器２０ａを正立させたときに、これら二つの容器（１０ａ，２０ａ）を上方から見た斜視図であり、詰替用容器１０ａについては一部破断斜視図にして示した。図２は、容器セット１ａを図１における矢印１００方向から見たときの正面図である。本実施例の容器セット１ａは、詰め替え用の米５０が入ったペットボトルからなる詰替用容器１０ａと、当該詰替用容器１０ａから米５０を詰め替えて米櫃として使用可能な常用保存容器２０ａとから構成されている。
【００２０】
詰替用容器１０ａは、一般的な角形ペットボトルと同様の外観形状や構造を有し、底部１４ａを下方として、米５０の収納部となる容器本体１１ａの上方に円筒状の首部１２ａが形成され、その首部１２ａの上端は、容器本体１１ａ内の米５０を外部に取り出すための開口部（以下、供給口）１３ａとなっている。
【００２１】
また、第１の実施例の容器セット１ａでは、常用保存容器２０ａも、一般的な角形ペットボトルと同様の外観形状や構造を有し、詰替用容器１０ａと同様に、底部２４ａを下方として、容器本体２１ａの上方に円筒状の首部２２ａが形成され、その首部２２ａの上端は、詰替用容器１０ａからの米５０を詰め替える際に米５０を容器本体２１ａ内に導入するための開口部（以下、導入口）２３ａとなっている。なお、常用保存容器２０ａの首部２２ａについては、詰替用容器１０ａの首部１２ａとの混同を避けるために、以後、管部２２ａと称することとする。
【００２２】
＜米の詰め替えについて＞
第１の実施例の容器セット１ａでは、米５０が封入された状態で収納されている詰替用容器１０ａを購入し、常用保存容器２０ａが空になった時点で、詰替用容器１０ａの一つを開封し、米５０を常用保存容器２０ａへ詰め替える、という使用方法を想定している。そして、本実施例に係る容器セット１ａでは、米５０の詰め替えに際し、米５０がこぼれることなく、確実に、かつ素早く詰め替えられる構造を有している。以下にその構造について説明する。
【００２３】
本実施例の容器セット１ａでは、詰替用容器１０ａと常用保存容器２０ａを、ほぼ同様の形状と構造とを有したペットボトルで構成しつつ、米５０の詰め替え作業を容易にするために、首部１２ａと管部２２ａの太さや供給口１３ａと導入口２３ａの開口径を異ならせている。具体的には、図２に示したように、常用保存容器２０ａの管部２２ａの内径Φｙと、詰替用容器１０ａの首部１２ａの開口端の外径Φｘとがほぼ一致し、米５０の詰め替えに際しては、図３に示したように、詰替用容器１０ａの首部１２ａの先端を常用保存容器２０ａの導入口２３ａに挿入して首部１２ａと管部２２ａとによって双方の容器（１０ａ，２０ａ）を連結し、詰替用容器１０ａ内の米５０を常用保存容器２０に詰め替えるようにしている。
【００２４】
ところで、米５０を詰め替える際、正立させている常用保存容器２０ａの導入口２３ａに向けて詰替用容器１０ａを傾けて米５０を流し込みながら図３に示した状態に移行させようとしても、米５０を正確にこぼさず導入口２３ａに導くことが難しい。また、正立させた状態にある詰替用容器１０ａに常用保存容器２０ａを連結し、次いで、連結状態を維持したまま、双方の容器（１０ａ,２０ａ）の天地を反転させようとすると、その反転操作の途上で連結状態が外れて米がこぼれる可能性がある。もちろん、詰替用容器１０ａには重い米５０が入っているので、力の弱い人にとっては、その反転作業自体が困難なものとなる。そこで、本実施例の容器セット１ａでは、詰替用容器１０ａと常用保存容器２０ａの双方の構造を工夫することで、米５０を流し込みながら双方の容器（１０ａ，２０ａ）を連結させたり、双方の容器（１０ａ，２０ａ）を連結させたまま天地を反転させたりすることなく、確実に無駄なく米５０を詰め替えられるようなっている。
【００２５】
具体的には、詰替用容器１０ａの供給口２３ａの開口端は、当初、膜体３０によって封止されており、この膜体３０は、外方から押圧されることで、一部を残して供給口２３ａの内周形状に沿ってリング状に破断して開口するようになっている。それによって、詰め替え作業以前では詰替用容器１０ａを倒立させても、米５０は外にこぼれない。なお、本実施例では、重たい米５０の自重を膜体３０で支えることから、当該膜体３０を樹脂製としている。一方、常用保存容器２０ａの管部２２ａの内部には、この膜体３０を外方から押圧してこれを破断開口するための押圧部４０ａが形成されている。そして、双方の容器（１０ａ，２０ａ）が連結されると、膜体３０が破断開口し、米５０の詰め替えが可能となる。
【００２６】
図４（Ａ）（Ｂ）に、それぞれ、常用保存容器２０ａの管部２２ａと詰替用容器１０ａの首部１２ａの一部破断斜視図を示した。また、図４（Ｃ）に（Ｂ）における円１０１の拡大図を示した。そして、（Ａ）に示したように、常用保存容器２０ａの管部２２ａの内部には、この管部２２ａと同軸となる中空筒状の押圧部４０ａが一体的に形成されている。押圧部４０ａの上縁端面４１は、円環状で、下端４２は、フランジ４３が形成されてそのフランジ４３の外周縁端が管部２２ａの内周１５に接続している。
【００２７】
一方、詰替用容器１０ａの首部１２ａには、（Ｂ）（Ｃ）に示したように、供給口１３ａの開口端を封止するための膜体３０が形成されている。そして、この膜体３０は、首部１２ａの内周に沿って略Ｃ字状の溝３１が形成されている。すなわち、膜体３０は、この溝３１の部分が肉薄となっていて、外圧によって破断する破断部３１として機能する。そして、当該Ｃ字の溝３１が途切れている開放部分３２は、膜体３０の他の部分と同じ膜厚となっており、この部分３２は、破断部３１が破断する圧力では、首部１２ａの内周と連結した状態を維持する連結部３２として機能する。このように、本実施例では、破断部３１を溝状とすることで、開封前の詰替用容器１０ａの密閉性が確保され、より長期間に亘って容器本体１１内の米５０の鮮度を維持することができるようになっている。もちろん、収納する粉粒体が、長期間に亘って鮮度を維持する必要性がない食品、密閉状態での保存が不要な食品、あるいは食品以外などであれば、破断部３１をミシン線で形成し、開封前であっても容器本体１１ａの内外が通気状態となっていてもよい。いずれにしても、膜体３０は、粉粒体を容器本体１１ａ内に封入しつつ、に外部から押圧されたとき、一部が連結部３２として残存しつつ、首部１２ａの内周に沿って破断開口する構造を備えていればよい。
【００２８】
図５（Ａ）〜（Ｃ）に、本実施例の容器セット１ａにおいて、米５０を詰め替えるときの状態を遷移図にして示した。また、図５（Ｄ）に（Ｂ）における楕円１０２内を拡大した図を示し、図５（Ｅ）に（Ｃ）における円１０３内を拡大した図を示した。まず、常用保存容器２０ａを正立させるとともに、詰替用容器１０ａを倒立させて、供給口１３ａと導入口２３ａとを対面させる（Ａ）。このとき、首部１２ａの先端部分が、同心円状の管部２２ａの内周と、押圧部４０ａの外周との間に挟持される位置に配置される。そして、供給口１３ａの先端を導入口２３ａに挿入すると、押圧部４０ａの端面４１が膜体３０に当接し、さらに深く挿入すると、その当接部位に上方への応力が加わって膜体３０が弾性変形する（Ｂ）（Ｄ）。そして、最終的に、破断部３１が応力に耐えきれなくなって破断し、米５０が、破断した膜体３０を自重によって下方に押し下げ、常用保存容器２０ａ内に落下する（Ｃ）（Ｅ）。このとき、膜体３０における連結部３２は、首部２２ａの内周から切り離されないため、膜体３０が常用保存容器２０ａ内に米５０と一緒に流れ込むことがない。
【００２９】
このように、本実施例の容器セット１ａによれば、米５０の詰め替えに際し、詰替用容器１０ａを倒立させても破断前の膜体３０により、内部の米５０が外部に流出することがなく、詰替用容器１０ａと常用保存容器２０ａを連結させた状態で反転させる作業も不要となる。なお、本実施例では、詰替用容器１０ａには、重量がある米５０が収納されていることから、膜体３０を樹脂製とし、薄い紙などのように詰替用容器１０ａを連結前に反転させた時点で米５０の自重によって当該膜体３０が破断することがないようにしている。もちろん、膜体３０を樹脂製とすることで、外部からの不意の圧力が加わっても簡単に破れることがない。
【００３０】
＜容器セットの使用形態＞
ところで、本実施例に係る容器セット１ａの具体的な使用形態について考えると、米５０が密閉された状態で収納されている詰替用容器１０ａを複数購入して用意しておき、常用保存容器２０ａが空になった時点で、詰替用容器１０ａの一つを上述した手順で開封し、米５０を常用保存容器２０ａへ詰め替える、という方法が想定される。すなわち、日常の食事用途に供される米５０については、常用保存容器２０ａから取り出して調理し、消費した分の詰替用容器１０ａ入りの米５０を追加購入する、という使用方法が考えられる。このような使用方法を考慮した場合、本実施例では、詰替用容器１０ａが自立可能なペットボトルで構成されているため、冷蔵庫内で保管しやすい、という利点がある。すなわち、一般的な米５０の購入形態である扁平な米袋入りの米では、冷蔵庫内の他の食品の保存スペースを圧迫する。１〜２ｋｇ程度の少量の米が入った米袋もあるが、その米袋は、柔軟な素材と扁平な形状とにより、冷蔵庫の庫内で形状が一定に維持されず、他の食品を庫内に収納したり、収納済みの他の食品を冷蔵庫から取り出したりする際に邪魔になる。当然のことながら、精米した状態の米は、冷蔵庫で保管することで長期間に亘って鮮度を維持することが可能となる。そのため、ペットボトルを詰替用容器１０ａとして密封収納された米５０は、備蓄用途として活用することができる。
【００３１】
また、ペットボトル入りの米は、一般的な扁平袋状の米袋に入った米と異なり、スーパーマーケットなどにおいて、奥行きが狭い商品棚でも陳列し易い、という利点もある。すなわち、扁平な米袋は、平たく置いた状態で陳列されるため、奥行きがあり、重量もあることから、自ずと商品棚の下段に積み重ねた状態で陳列されることになる。ペットボトルでは、自立可能であるため、商品棚の中断や上段に陳列しても問題が少ない。また、米袋では、その表面に印刷されている商品に関する内容（商品名、産地、生産年、精米年月日など）を確認し難い、という問題もあるが、自立可能なペットボトルでは、その問題も発生しない
＜常用保存容器について＞
本実施例では、常用保存容器２０ａと詰替用容器１０ａがともにペットボトルであったが、もちろん、これに限らない。常用保存容器であれば、詰替用容器１０ａの首部１２ａと連結可能な管部と、当該管部の内部に詰替用容器の膜体３０を破断させるための押圧部とを備えていればよい。図６に常用保存容器の変形例を示した。図６（Ａ）は、米５０の取り出し口２７と管部２２ｂとが個別に設けられた常用保存容器２０ｂであり、この例では、箱状の容器本体２１ｂの上面２５に、管部２２ｂが突設されているとともに、スライド式の蓋２６を備えた米５０の取り出し口２７が形成されている。（Ｂ）は、管部２２ｃが容器本体２１ｃから突設されていない構造の常用保存容器２０ｃの例であり、一部破断斜視図によって示している。この例では、（Ａ）に示した管部２２ｂが突設されている常用保存容器２０ｂに対し、容器本体２１ｃ内に筒状の管部２２ｃが埋没し、容器本体２１ｃの表面と導入口２３ｃの開口面とが面一となっている。
【００３２】
<詰替用容器について>
一方、詰替用容器についても、図７に示した変形例が考えられる。図７（Ａ）は、当該変形例に係る詰替用容器１０ｂを上方から見たときの一部破断斜視図であり、（Ｂ）は下方から見たときの斜視図である。図示した詰替用容器１０ｂは、一般に「パウチパック」、あるいは俗に「パウチ」と呼ばれる容器本体１１ｂに首部１２ｂを設けた構造であり、この種の容器（以下、パウチパック型容器）は、周知のごとく、レトルト食品などの容器として使用されている。そして、パウチパック型容器１０ｂの容器本体１１ｂは、厚地で形状維持性に優れた剛性のある複数のフィルム素材の縁辺同士を熱融着等の方法によって接着して袋状に形成したものであり、ここに示した詰替用容器１０ｂでは、底部１４ｂを下方として、容器本体１１ｂの側面１５ｂを形成する２枚のフィルム素材と、底部１４ｂを構成する１枚のフィルム素材のそれぞれの縁辺を接着させている。それによって、図示した詰替用容器１０ｂは、幅広の底部１４ｂによって自立可能となっている。そして、パウチパック型の米詰替用容器１０ｂは、フィルム状素材からなる袋の一辺を開口させた状態で米４０を収納するとともに、その状態で脱気しながらその一辺を熱溶着等の方法で接着させることで、容易に米４０を真空状態で収納することができる。そのため、冷蔵保存はもちろん、常温でも米４０を長期間に亘って保存することが可能となる。なお、なお、詰替用容器は米５０が自重によって落下しながら容器本体外へ導出されるように首部が形成されていればよく、例えば、図８に示したように、首部１２ｃが容器本体１１ｃの側方に突出するように形成された詰替用容器１０ｃも考えられる。この場合は、詰め替え時に、連結状態にある詰替用容器１０ｃと常用保存容器（１０ａなど）を傾ければよい。なお、詰替用容器は、ペットボトルやパウチパック型容器に限るものではない。自立可能である必要もない。また、首部（１２ａ〜１２ｃ）にはスクリューキャップ用の雄ねじが形成されていたが、もちろん、首部（１２ａ〜１２ｃ）に雄ねじを形成せず、嵌め込み式のキャップとしてもよいし、膜体３０によって容器本体（１１ａ〜１１ｃ）内が密閉されているのであれば、キャップが無くてもよい。キャップがスクリューキャップ式でなければ、首部（１２ａ〜１２ｃ）外周の螺子山が不要となり、首部（１２ａ〜１２ｃ）を管部（２２ａ〜２２ｃ）内により深く挿入することができ、確実に膜体３０を破断させることができる。いずれにしても、詰替用容器は、その供給口が当初破断可能な膜体で封口されるだけの簡素な構造であり、より安価に製造することができる。
【００３３】
＝＝＝第２の実施例＝＝＝
上記第１の実施例において、詰替用容器（１０ａ〜１０ｃ）の膜体３０は、米５０などの内容物の詰め替え時に膜体３０自体が常用保存容器（２０ａ〜２０ｃ）内に落下しないように、押圧部（４０ａ〜４０ｃ）からの応力によっても破断しない連結部３２が設けられていた。しかしながら、押圧部（４０ａ〜４０ｃ）の端面形状は、閉じた円環状であり、連結部３２にも応力を加わることになる。そのため、破断部３１に均一に応力が加わらずに、破断部３１の全てが破断しなかったり、無理に膜体３０を開口させようとして連結部３２が破断したりする可能性もある。そこで、このような可能性を軽減させるための工夫を設けた容器セットを第２の実施例として以下に説明する。
【００３４】
図９は、本発明の第２の実施例に係る容器セット１ｄの概略構成を示した。ここでは、パウチパック型の詰替用容器１０ｄと米５０の取り出し口２７がある箱状の常用保存容器１０ｄとによって構成されている容器パック１ｄを例示した。また図１０に、当該容器セット１ｄを構成する常用保存容器２０ｄと詰替用容器１０ｄの、それぞれにおける管部２２ｄと首部１２ｄの一部破断斜視図を示し、図１１に、図９における円１０４内の拡大図を示した。
【００３５】
第２の実施例における容器セット１ｄでは、常用保存容器２０ｄの管部２２ｄに内臓さている押圧部１０ｄの一部に切欠４４が設けられており、端面４１の形状が略Ｃ字状となっている。また、管部１０ｄの外周には、その切欠４４の形成位置に対応してマーク４５が表記されている。
【００３６】
一方、詰替用容器１０ｄにおける膜体３０を含めた概略構造は、第１の実施例に示した各種詰替用容器（１０ａ〜１０ｃ）と同様であるが、首部１２ｄの外周において、膜体３０に形成されている連結部３２に対応する位置にマーク３３が表記されている。そして、詰め替えに際して、詰替用容器１０ｄの首部１２ｄと常用保存容器２０ｄの管部２２ｄとを連結する際、図１１に示したように、双方の容器（１０ｄ，２０ｄ）のマーク（３３，４５）の位置を合わせると、押圧部４０ｄの切欠４４と膜体３０の連結部３２とが対面する。それによって、押圧部４０ｄは、連結部３２の形成領域を押圧せず、破断部３１に形成領域のみを押圧する。それによって、破断部３１が確実に破断するとともに、連結部３２が破断することなく、膜体３０が常用保存容器２０ｄ内に落下することを確実に防止する。もちろん、マーク（３３，４５）の表記は、首部１２ｄや管部２２ｄの外周に限らず、詰替用容器１０ｄ、および常用保存容器２０ｄの外面にあればよい。もちろん、いずれか一方の容器（１０ｄまたは２０ｄ）、あるいは両方の容器（１０ｄ，２０ｄ）のマーク（３３、４５）が無くても、押圧部４０ｄに切欠４４が形成されていればよく。この場合は、詰め替えに際して連結部３２と切欠４４との位置関係を確認すればよい。
【産業上の利用可能性】
【００３７】
本発明は、例えば、米やインスタントコーヒーなどの詰め替え用途に適用可能である。
【符号の説明】
【００３８】
１ａ，１ｂ  粉粒体保存容器セット、１０ａ〜１０ｄ  詰替用容器、
１１ａ〜１１ｄ  詰替用容器の容器本体、１２ａ〜１２ｄ  首部
１３ａ〜１３ｄ  供給口、２０ａ〜２０ｃ  常用保存容器、
２１ａ〜２１ｄ  常用保存容器の容器本体、２２ａ〜２２ｄ  管部、
２３ａ〜２３ｄ  導入口、３０  膜体、３１  破断部、３２  連結部、
３３  連結部の位置を示すマーク、４０ａ〜４０ｄ  押圧部、４１  押圧部の端面、４４  押圧部の切欠、４５  押圧部の切欠の位置を示すマーク、５０  米
【図１】
2012254824.tif 000003
【図２】
2012254824.tif 000004
【図３】
2012254824.tif 000005
【図４】
2012254824.tif 000006
【図５】
2012254824.tif 000007
【図６】
2012254824.tif 000008
【図７】
2012254824.tif 000009
【図８】
2012254824.tif 000010
【図９】
2012254824.tif 000011
【図１０】
2012254824.tif 000012
【図１１】
2012254824.tif 000013